(57)【特許請求の範囲】
【請求項１】
電話線と電話とに連接された親機と、単一或いは複数の子機を具え、該親機と子機の間で無線信号による相互の情報と信号の伝送がなされる無線通話装置において、
該親機が、
無線信号を子機に発射可能である第１発射器、
子機からの無線信号を受信可能である第１受信器、
電話線に連接されて、通話信号の入出力を進行し、入力された通話信号を第１発射器に送るか、或いは第１受信器より送られた出力通話信号を電話線の入力端に伝送する音声コントロール回路、
第１受信器の受信した子機からの信号を確認するデコーダ、
親機内部の動作をコントロールする親機コントロールユニット、
親機コントロールユニットの信号を外部に出力する出力ポート、
電話線に連結可能である電話線コネクタ、
以上を具備し、
該子機が、
無線信号を親機に向けて発射する第２発射器、
親機からの無線信号と、その他のラジオ局の発信した無線信号とを受信可能である第２受信器、
子機内部の動作をコントロールする子機コントロールユニット、
子機が親機に子機の発射信号を認識させるために、子機のコードをエンコーダで処理した後に、さらに無線信号を親機に発射する上記エンコーダ、
使用者の選択操作により異なるコントロール信号を子機コントロールユニットに送るものとされ、子機にラジオ信号を受信させて子機にラジオ機能を具備させるラジオコントロールキーを包括するほか、ラジオ受信と電話受信の切換え用の受信／切断キーを包括するコントロール入力キー、
使用者が電話で通話するのに用いられるスピーカとマイクロホン、
以上を具備し、
前記コントロール入力キーがさらに外部の設備をコントロールするためのその他の選択キーを包括し、
前記その他の選択キーが外部の自動ダイアラーを制御可能で、使用者が該その他の選択キーを選択する時に、子機が第２発射器より一つのコントロール信号を親機に送り、親機が外部の自動ダイアラーを起動し、
前記その他の選択キーが外部の自動アンサリングマシンを制御可能で、使用者が該その他の選択キーを選択する時に、子機が第２発射器より一つのコントロール信号を親機に送り、親機が外部の自動アンサリングマシンを起動し、
前記親機がさらに一つのエンコーダを具え、前記子機がさらに一つのデコーダと一つの第３受信器を具え、外部からの電話の情報が親機に伝えられると、親機がこのエンコーダでエンコードした後のコントロール信号を子機に発射し、子機の第３受信器がそれを受信し並びに子機のデコーダで親機の発射したコントロール信号を確認した後に、子機が使用者に外部からの電話があることを知らせ、
前記子機がラジオとして使用される時、外部より電話がかかると、親機がコントロール信号を子機に発射して子機のラジオ機能を切断することを特徴とする、無線通話装置。
【発明の詳細な説明】
【０００１】
【発明の属する技術分野】
本発明は一種の電話装置に係り、特に一種の無線信号を利用して情報を伝達する無線電話装置に関する。
【０００２】
【従来の技術】
アメリカ合衆国パテントＮｏ．３，３０５，３７０には、緊急時の自動ダイアルシステムが掲示されている。ただしこのシステムは無線受信方式で電話する機能を十分には有しておらず、ただ緊急状況においてその機能を発揮した。伝統的な無線電話本体或いはヘッドバンドで装着する無線電話本体のほとんどはいずれも緊急自動ダイアルの機能を有しておらず、ゆえに障害者、病人或いは行動に不便のある老人が使用するには実用的でなかった。
【０００３】
【発明が解決しようとする課題】
本発明の主要な目的は、普通の電話線に連接した後に無線電話の機能を有し、行動に不便のある人にラジオと電話の機能を提供し、且つ自動ダイアルキーを具備して緊急自動ダイアルが行える、一種の無線通話装置を提供することを課題としている。
【０００４】
本発明はその一つの実施例において、電話を受けて情報が親機に伝送される時に、もし使用者が子機のラジオ機能を利用している最中ならば、親機が自動的に子機のラジオ機能を切断し、使用者に外部からの電話があることを知らせることを特徴とするものとする。
【０００５】
【課題を解決するための手段】
請求項１の発明は、電話線と電話とに連接された親機と、単一或いは複数の子機を具え、該親機と子機の間で無線信号による相互の情報と信号の伝送がなされる無線通話装置において、
該親機が、
無線信号を子機に発射可能である第１発射器、
子機からの無線信号を受信可能である第１受信器、
電話線に連接されて、通話信号の入出力を進行し、入力された通話信号を第１発射器に送るか、或いは第１受信器より送られた出力通話信号を電話線の入力端に伝送する音声コントロール回路、
第１受信器の受信した子機からの信号を確認するデコーダ、
親機内部の動作をコントロールする親機コントロールユニット、
親機コントロールユニットの信号を外部に出力する出力ポート、
電話線に連結可能である電話線コネクタ、
以上を具備し、
該子機が、
無線信号を親機に向けて発射する第２発射器、
親機からの無線信号と、その他のラジオ局の発信した無線信号とを受信可能である第２受信器、
子機内部の動作をコントロールする子機コントロールユニット、
子機が親機に子機の発射信号を認識させるために、子機のコードをエンコーダで処理した後に、さらに無線信号を親機に発射する上記エンコーダ、
使用者の選択操作により異なるコントロール信号を子機コントロールユニットに送るものとされ、子機にラジオ信号を受信させて子機にラジオ機能を具備させるラジオコントロールキーを包括するほか、ラジオ受信と電話受信の切換え用の受信／切断キーを包括するコントロール入力キー、
使用者が電話で通話するのに用いられるスピーカとマイクロホン、
以上を具備し、
前記コントロール入力キーがさらに外部の設備をコントロールするためのその他の選択キーを包括し、
前記その他の選択キーが外部の自動ダイアラーを制御可能で、使用者が該その他の選択キーを選択する時に、子機が第２発射器より一つのコントロール信号を親機に送り、親機が外部の自動ダイアラーを起動し、
前記その他の選択キーが外部の自動アンサリングマシンを制御可能で、使用者が該その他の選択キーを選択する時に、子機が第２発射器より一つのコントロール信号を親機に送り、親機が外部の自動アンサリングマシンを起動し、
前記親機がさらに一つのエンコーダを具え、前記子機がさらに一つのデコーダと一つの第３受信器を具え、外部からの電話の情報が親機に伝えられると、親機がこのエンコーダでエンコードした後のコントロール信号を子機に発射し、子機の第３受信器がそれを受信し並びに子機のデコーダで親機の発射したコントロール信号を確認した後に、子機が使用者に外部からの電話があることを知らせ、
前記子機がラジオとして使用される時、外部より電話がかかると、親機がコントロール信号を子機に発射して子機のラジオ機能を切断することを特徴とする、無線通話装置としている。
【０００６】
【発明の実施の形態】
本発明の第１実施例の構造については、図１、２及び図７を参照されたい。この無線通話装置は、一つの親機１０と一つの子機３０を具えている。親機１０は電話線５０と電話８０とに連接し、子機３０は無線電話信号で親機１０と相互に情報及び信号を伝達する。
【０００７】
図１及び図３に示されるように、該子機３０は第２受信器３１、第２アンテナ３２、スピーカ３３、コントロール入力キー３４、子機コントロールユニット３５、エンコーダ３６、第２発射器３７及びマイクロホン３８を具備する。
【０００８】
第２受信器３１は第２アンテナ３２で親機１０或いはその他のラジオ局より伝送された無線電話信号を受信し、並びにそれを変換して通話信号となしてスピーカ３３より出力する。
【０００９】
コントロール入力キー３４は使用者が選択、操作することにより異なるコントロール信号を発生し、並びにコントロール信号を子機コントロールユニット３５に送り、通常は一つのマイクロプロセッサを具備する。本実施例中のコントロール入力キー３４は、受信／切断キー３４１、ラジオコントロールキー３４２、自動ダイアルキー３４３、自動アンサリングキー３４４、一組の周波数調整キー３４５及びその他の選択キー３４６を包括し、それらはそれぞれ受信、ラジオ、自動ダイアル、自動アンサリング及び周波数調整等の異なるコントロール信号を発生し、その他の選択キー３４６は使用者の必要により自分で必要なコントロール信号を発生するよう設定される。例えば、コンピュータコネクタ７０でコンピュータ８０に連接される時、その動作フローは自動ダイアルキー３４３（或いは自動アンサリングキー３４４）を選択して操作する時と同じであり、これについては以下の説明を参照されたい。
【００１０】
子機コントロールユニット３５は子機３０の内部動作をコントロールし、並びに入力キー３４より送られたコントロール信号を受け取る。コントロール信号がラジオコントロール信号である時、子機３０はラジオとして使用され、並びに周波数調整キー３４５により受信するラジオ局を選択できる。もしコントロール信号が受信、或いは自動ダイアル或いは自動アンサリング等の任意の一つのコントロール信号であれば、コントロール信号はエンコーダ３６に送られさらに該コントロール信号が第２発射器３７を経由して親機１０に発射される。マイクロホン３８を利用して通話を行う時には、第２アンテナ３２で通話信号が親機１０に発射される。
【００１１】
図２、４に示されるように、該親機１０は電源管理回路１１、音声コントロール回路１２、第１発射器１３、第１アンテナ１４、第１受信器１５、デコーダ１６、親機コントロールユニット１７、出力ポート１８及び一組の電話線コネクタ２２を具備する。
【００１２】
電源管理回路１１は親機１０の電源を管理し、本実施例ではそれはさらに電力指示ランプ２０に連接して使用者に親機１０の電力供給状況を知らせる。
【００１３】
音声コントロール回路１２（ＴＥＡ１０６２チップを採用可能）は入力端子２２１と出力端子２２２を具えた一組の電話線コネクタ２２により電話線５０の入力端５１と出力端５２に連接し、以て通話信号の入出力を進行し、それは入力端５１より入力した通話信号を入力端子２２１により第１発射器１３に伝送するか、或いは第１受信器１５が送る出力通話信号を入力端子２２１により電話線５０の入力端５１に伝送する。
【００１４】
第１発射器１３は音声コントロール回路１２より送られた通話信号を受け取り、並びに無線信号の形式を以て第１アンテナ１４より子機３０に向けて発射する。
【００１５】
第１受信器１５は子機３０より送られた無線信号を受信し、もし無線信号が通話信号であれば、直接音声コントロール回路１２に伝送し、音声コントロール回路１２が信号を電話線５０の入力端５１に出力する。もし受信或いは自動ダイアル或いは自動アンサリング等のコントロール信号であれば、デコーダ１６に送りデコードを進行し、さらに親機１０内部の親機コントロールユニット１７に送り対比を進行させ、もしコントロール信号暗号に誤りがなければ、受信或いは自動ダイアル或いは自動アンサリングのコントロール信号により、それぞれ第１発射器１３と第１受信器１５をコントロールして発射と受信を行わせるか、或いは自動ダイアルコントロール信号（或いは自動アンサリングコントロール信号）を出力ポート１８に出力する。
【００１６】
出力ポート１８は親機コントロールユニット１７のコントロール信号を外界に出力し、本実施例では、出力ポート１８に自動ダイアラー１９と一つのアンサリングマシン６０が連接され、それはまた直列の連接方式で電話線５０の出力端５２に連接され、親機コントロールユニット１７の伝送した自動ダイアルコントロール信号により自動ダイアルするか、或いは自動アンサリングコントロール信号により自動アンサリング機能を進行する。
【００１７】
本発明の第２実施例の構造については図５、６を参照されたい。この実施例は第１実施例とほぼ同じであるが、ただし、本実施例では親機１０がさらに一つのエンコーダ２１を具え、且つ子機３０がさらに一つの第３受信器３９と一つのデコーダ４０を具備している。外部から電話がかかると、親機１０はエンコーダ２１でエンコードした後のコントロール信号を子機３０に発射し、子機３０の第３受信器３９がそれを受信し、並びに子機３０のエンコーダ４０が親機１０の発射したコントロール信号を確認した後、使用者に電話がかかったことを知らせる。望ましい設計によると、使用者がちょうど子機３０でラジオを聞いている時に、外部より電話がかかると、親機１０が発射するコントロール信号が自動的にコントロールのラジオ機能を切断して使用者に簡単に外部からの電話があることを知らせる。
【００１８】
以上の図１、５及び図２、６中にそれぞれ示される周知の送受信コントローラ３２１、１４１はそれぞれアンテナ３２、１４の受信と発射を制御し且つそれは省電の作用を有している。
【００１９】
以上に述べた発射器、受信器、電源管理回路、音声コントロール回路、エンコーダ、デコーダ、コントロールユニットと送受信コントローラはいずれも周知の技術であるため、その詳細な回路図は提供しない。
【００２０】
当然、本発明中にさらに一つの周知の素子を増加可能であり、例えば子機３０に電力指示ランプを連接可能であり、親機１０にフラッシュ指示ランプを連接可能であり、これにより視覚方式で使用者に電話がかかってきたことを知らせたり、或いは親機１０にブザーを連接して親機１０を電話に連接しなくとも電話がかかってきたことを知らせるか、或いは親機１０にベルコントローラを連接してアンサリングマシン６０が受信アンサリングするベルの回数をコントロールすることが可能である。なお、上述の実施例は本発明の請求範囲を限定するものではなく、本発明に基づきなされる細部の修飾或いは改変であって本発明と同じ効果を達成しうるものはいずれも本発明の請求範囲に属する。
【００２１】
【発明の効果】
本発明は、普通の電話線に連接した後に無線電話の機能を有し、行動に不便のある人にラジオと電話の機能を提供し、且つ自動ダイアルキーを具備して緊急自動ダイアルが行える、一種の無線通話装置を提供している。また、本発明はその一つの実施例において、電話を受けて情報が親機に伝送される時に、もし使用者が子機のラジオ機能を利用している最中ならば、親機が自動的に子機のラジオ機能を切断し、使用者に外部からの電話があることを知らせることができる。
【図面の簡単な説明】
【図１】本発明の第１実施例の子機の回路ブロック図である。
【図２】本発明の第１実施例の親機の回路ブロック図である。
【図３】本発明の第１実施例の子機の構造表示図である。
【図４】本発明の第１実施例の親機の構造表示図である。
【図５】本発明の第２実施例の子機の回路ブロック図である。
【図６】本発明の第２実施例の親機の回路ブロック図である。
【図７】本発明の使用表示図である。
【符号の説明】
１０  親機        １１  電源管理回路    １２  音声コントロール回路
１３  第１発射器    １４  第１アンテナ    １４１  送受信コントローラ
１５  第１受信器    １６  デコーダ    １７  親機コントロールユニット
１８  出力ポート    １９  自動ダイアラー    ２０  電力指示ランプ
２１  エンコーダ      ２２  電話線コネクタ      ２２１  入力端子
２２２  出力端子      ３０  子機            ３１  第２受信器
３２  第２アンテナ      ３２１  送受信コントローラ
３３  スピーカ          ３４  コントロール入力キー
３４１  受信／切断キー            ３４２  ラジオコントロールキー
３４３  自動ダイアルキー          ３４４  自動アンサリングキー
３４５  周波数調整キー            ３４６  その他の選択キー
３５  子機コントロールユニット          ３６  エンコーダ
３７  第２発射器          ３８  マイクロホン    ３９  第３受信器
４０  デコーダ        ５０  電話線          ５１  入力端
５２  出力端          ６０  アンサリングマシン
７０  コンピュータコネクタ        ７１  コンピュータ
８０  電話
【図１】
0003691991.tif 000002
【図２】
0003691991.tif 000003
【図３】
0003691991.tif 000004
【図４】
0003691991.tif 000005
【図５】
0003691991.tif 000006
【図６】
0003691991.tif 000007
【図７】
0003691991.tif 000008